(57)【特許請求の範囲】
【請求項１】
ＯＬＴ（Optical Line Terminal）と複数のＯＮＵ（Optical Network Unit）との間で１対多（Point to Multi Point）接続の光ファイバ伝送を実現するＰＯＮ（Passive Optical Network）システムであって、
ＧＰＳ（Global Positioning System）信号から取得された時刻情報としてのＰＰＳ（Pulse per Second）およびＴｏＤ（Time of Day）、またはＧＰＳ信号から取得された時刻情報に基づいて生成されたＰＴＰパケットを受信するマスタＯＮＵと、
前記マスタＯＮＵから取得した時刻情報に基づいて、同期を確立させる少なくとも一つのスレイブＯＮＵと、
光分岐器を介して、前記マスタＯＮＵおよび前記スレイブＯＮＵと接続し、前記マスタＯＮＵおよび前記スレイブＯＮＵに対して時分割多重方式により動的に上り帯域を割り当てるＯＬＴ（Optical Line Terminal）と、を備え、
前記ＯＬＴから前記マスタＯＮＵ若しくはいずれかの前記スレイブＯＮＵへパケットを送信するタイミング、または前記マスタＯＮＵ若しくはいずれかの前記スレイブＯＮＵから前記ＯＬＴへパケットを送信するタイミングを調整することによって、ＰＯＮ区間において、前記マスタＯＮＵから前記ＯＬＴを経由して前記スレイブＯＮＵへの方向の伝送遅延並びに前記スレイブＯＮＵから前記ＯＬＴを経由して前記マスタＯＮＵへの方向の伝送遅延の対称化を図ることを特徴とするＰＯＮシステム。
【請求項２】
前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、ＰＯＮ区間において、前記マスタＯＮＵから前記ＯＬＴを経由して前記スレイブＯＮＵへの方向の伝送遅延、並びに、前記スレイブＯＮＵから前記ＯＬＴを経由して前記マスタＯＮＵへの方向の伝送遅延の差分を計算し、前記計算した差分が解消するように、前記マスタＯＮＵの上り送信タイミング若しくはいずれかの前記スレイブＯＮＵの上り送信タイミングまたは前記マスタＯＮＵ若しくはいずれかの前記スレイブＯＮＵに送信すべきパケットの送信タイミングを調整することを特徴とする請求項１記載のＰＯＮシステム。
【請求項３】
前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記第１の伝送遅延にさらに遅延を加えることによって、前記第１の伝送遅延と第２の伝送遅延とを等しくすることを特徴とする請求項２記載のＰＯＮシステム。
【請求項４】
前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記第１の伝送遅延にさらに遅延を加えることによって、前記マスタＯＮＵから前記スレイブＯＮＵまでの伝送遅延が前記第２の伝送遅延よりも大きくなるようにし、前記第２の伝送遅延にさらに遅延を加えることによって、前記第１の伝送遅延と第２の伝送遅延とを等しくすることを特徴とする請求項２記載のＰＯＮシステム。
【請求項５】
前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記スレイブＯＮＵの上りタイムスロットとＰＴＰパケットの到着タイミングとを一致させながら、前記第１の伝送遅延にさらに遅延を加えることによって、前記第１の伝送遅延と第２の伝送遅延とを等しくすることを特徴とする請求項２記載のＰＯＮシステム。 
【請求項６】
前記マスタＯＮＵは、ＰＴＰ（Precision Time Protocol）パケットが到着してから所定時間後に送信する次のＰＴＰパケットの送信タイミングを前記ＯＬＴに通知し、またはＰＴＰパケットの到着時間および送信時間を前記ＯＬＴに通知し、
前記ＯＬＴは、前記マスタＯＮＵからの通知に基づいて、前記マスタＯＮＵにＰＴＰパケットが到着してから所定時間後に前記マスタＯＮＵが次のＰＴＰパケットを送信するための上り帯域を割り当てると共に、前記スレイブＯＮＵに対してＰＴＰパケットの下り伝送をする際に、前記スレイブＯＮＵにＰＴＰパケットが到着してから所定時間経過後に前記スレイブＯＮＵの配下のＰＴＰスレイブ装置から折り返されるＰＴＰパケットを上り伝送するための帯域を前記スレイブＯＮＵに割り当てることを特徴とする請求項１記載のＰＯＮシステム。
【請求項７】
ＰＯＮ区間で同期システムを適用して時刻同期を取ると共に、
前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、
前記ＯＬＴ、前記マスタＯＮＵおよび前記スレイブＯＮＵは、ＰＴＰパケットが自装置に到着した時刻を示す時刻情報をＰＴＰパケットの送信先に送信する一方、時刻情報を受信したときに、その時刻情報の送信元との伝送遅延を算出し、
前記マスタＯＮＵまたは前記スレイブＯＮＵは、前記算出した伝送遅延を前記ＯＬＴに送信すると共に、その送信時刻を送信することを特徴とする請求項１記載のＰＯＮシステム。
【請求項８】
前記ＯＬＴは、ＰＯＮ区間において、前記マスタＯＮＵから前記ＯＬＴを経由して前記スレイブＯＮＵへの方向の伝送遅延並びに前記スレイブＯＮＵから前記ＯＬＴを経由して前記マスタＯＮＵへの方向の伝送遅延を一定の固定値に固定すると共に、実際の上下伝送遅延を測定し、下りのＰＴＰパケットを受信した場合、前記固定値および前記実際の上下伝送遅延に基づいて、いずれかの前記スレイブＯＮＵに送信すべきパケットの送信タイミングを調整する一方、いずれかの前記スレイブＯＮＵから、上りのＰＴＰパケットを受信してから上りデータの有無を示す通知をするまでの時間が通知された場合は、前記固定値および前記実際の上下伝送遅延に基づいて、前記スレイブＯＮＵのＰＴＰパケットの送信タイミングを調整することを特徴とする請求項１記載のＰＯＮシステム。
【請求項９】
前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、ＰＯＮ区間において、前記マスタＯＮＵから前記ＯＬＴを経由して前記スレイブＯＮＵへの方向の伝送遅延並びに前記スレイブＯＮＵから前記ＯＬＴを経由して前記マスタＯＮＵへの方向の伝送遅延の差分を計算し、ＰＴＰパケットの到着時間と送信時間とから算出される機器内遅延情報に基づいて、前記マスタＯＮＵおよび前記スレイブＯＮＵにおける遅延が一致するように、前記マスタＯＮＵおよび前記スレイブＯＮＵの固定タイムスロットのタイミングを調整することを特徴とする請求項１記載のＰＯＮシステム。
【請求項１０】
前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、ＰＯＮ区間において、前記ＯＬＴから前記マスタＯＮＵおよび前記スレイブＯＮＵへの方向の伝送遅延並びに前記マスタＯＮＵおよび前記スレイブＯＮＵから前記ＯＬＴへの方向の伝送遅延である上下伝送遅延の差分を計算し、前記マスタＯＮＵおよび前記スレイブＯＮＵから取得したＰＴＰパケットの到着時間と送信時間とから算出される機器内遅延情報に基づいて、前記ＯＬＴから前記マスタＯＮＵへの伝送にマスタＯＮＵ内での遅延と同一の遅延を付加すると共に、前記ＯＬＴから前記スレイブＯＮＵへの伝送に、スレイブＯＮＵ内での遅延と同一の遅延を付加することを特徴とする請求項１記載のＰＯＮシステム。
【請求項１１】
前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、
前記マスタＯＮＵおよび前記スレイブＯＮＵは、ＰＴＰパケットが到着してから送信するまでの時間差である機器内遅延情報を保持し、ＰＴＰパケットを前記ＯＬＴへ送信した後、前記ＯＬＴから受信したＰＴＰパケットに前記機器内遅延情報と同等の遅延を付加し、
前記マスタＯＮＵは、前記マスタＯＮＵ配下のＰＴＰマスタ装置または前記マスタＯＮＵ配下のＰＴＰスレイブ装置にＰＴＰパケットを送信する一方、前記スレイブＯＮＵは、前記スレイブＯＮＵ配下のＰＴＰスレイブ装置にＰＴＰパケットを送信することを特徴とする請求項１記載のＰＯＮシステム。
【請求項１２】
ＯＬＴ（Optical Line Terminal）と複数のＯＮＵ（Optical Network Unit）との間で１対多（Point to Multi Point）接続の光ファイバ伝送を実現するＰＯＮ（Passive Optical Network）システムの伝送方法であって、
マスタＯＮＵ（Optical Network Unit）において、ＧＰＳ（Global Positioning System）信号から取得された時刻情報としてのＰＰＳ（Pulse per Second）およびＴｏＤ（Time of Day）、またはＧＰＳ信号から取得された時刻情報に基づいて生成されたＰＴＰパケットを受信するステップと、
少なくとも一つのスレイブＯＮＵにおいて、前記マスタＯＮＵから取得した時刻情報に基づいて、同期を確立させるステップと、
ＯＬＴ（Optical Line Terminal）において、光分岐器を介して、前記マスタＯＮＵおよび前記スレイブＯＮＵと接続し、前記マスタＯＮＵおよび前記スレイブＯＮＵに対して時分割多重方式により動的に上り帯域を割り当てるステップと、を含み、
前記ＯＬＴから前記マスタＯＮＵ若しくはいずれかの前記スレイブＯＮＵへパケットを送信するタイミング、または前記マスタＯＮＵ若しくはいずれかの前記スレイブＯＮＵから前記ＯＬＴへパケットを送信するタイミングを調整することによって、ＰＯＮ区間において、前記マスタＯＮＵから前記ＯＬＴを経由して前記スレイブＯＮＵへの方向の伝送遅延並びに前記スレイブＯＮＵから前記ＯＬＴを経由して前記マスタＯＮＵへの方向の伝送遅延の対称化を図ることを特徴とする伝送方法。
【請求項１３】
ＰＯＮ区間で同期システムを適用して時刻同期を取ると共に、
前記マスタＯＮＵは、ＰＴＰパケットが到着してから所定時間後に送信する次のＰＴＰパケットの送信タイミングを前記ＯＬＴに通知し、若しくはＰＴＰパケットの到着時間および送信時間を前記ＯＬＴに通知し、
前記ＯＬＴは、前記マスタＯＮＵからの通知に基づいて、前記マスタＯＮＵにＰＴＰパケットが到着してから所定時間後に前記マスタＯＮＵが次のＰＴＰパケットを送信するための上り帯域を割り当てると共に、前記スレイブＯＮＵに対してＰＴＰパケットの下り伝送をする際に、前記スレイブＯＮＵにＰＴＰパケットが到着してから所定時間経過後に前記スレイブＯＮＵの配下のＰＴＰスレイブ装置から折り返されるＰＴＰパケットを上り伝送するための帯域を前記スレイブＯＮＵに割り当て、
前記ＯＬＴ、前記マスタＯＮＵおよび前記スレイブＯＮＵは、ＰＴＰパケットが自装置に到着した時刻を示す時刻情報をＰＴＰパケットの送信先に送信する一方、時刻情報を受信したときに、その時刻情報の送信元との伝送遅延を算出し、
前記マスタＯＮＵまたは前記スレイブＯＮＵは、前記算出した伝送遅延を前記ＯＬＴに送信すると共に、その送信時刻を送信することを特徴とする請求項１記載のＰＯＮシステム。
【発明の詳細な説明】
【技術分野】
【０００１】
本発明は、光ファイバ伝送を実現するＰＯＮ（Passive Optical Network）システムおよび伝送方法に関する。
【背景技術】
【０００２】
近年、移動通信網が提供する無線アクセスネットワークの高速化に伴って、基地局装置がカバーする領域（セル）が狭くなり、その結果、移動通信網を構成するために設置すべき基地局装置数が増大している。このため、複数の基地局装置を収容するためのネットワークとして、１本の光伝送路を複数の加入者で共有する受動光網（PON：Passive Optical Network）システムが検討されている。
【０００３】
ＰＯＮシステムでは、通信事業者の局に設置された１つの光伝送路終端装置（OLT：Optical Line Terminal）が光分岐器を介して複数の加入者側宅内端末（ONU：Optical Network Unit）と接続されている。ＯＬＴは、複数のＯＮＵ、例えば、６４台のＯＮＵに対して時分割多重方式により動的に上り帯域を割り当てることで、高い帯域の利用効率を実現している。
【０００４】
基地局装置では、通信端末のハンドオーバ等を実現するため、基地局装置間の時刻同期が必須となる。従来は、基準時刻情報を受信するために各基地局装置にＧＰＳ（Global Positioning System）アンテナを設置することが一般的であった。しかし、基地局装置における設置環境等の制約により、ＧＰＳアンテナが設置できない場合があった。
【０００５】
そこで、ＯＬＴの配下にある一台のＯＮＵでＧＰＳ信号を取得し、時刻情報を当該ＯＮＵからＯＬＴ側に提供し、ＯＬＴを介して他の全ＯＮＵに配信するというループバック方式が提案された。これによれば、基地局装置にＧＰＳアンテナが設置できない場合であっても柔軟に対応することができる。ＧＰＳ信号に含まれる時刻情報は、非特許文献１に記載されるＩＥＥＥ１５８８ｖ２  ＰＴＰ（Precision Time Protocol）のようなパケットベースでＰＯＮ区間を伝送する構成が考えられる。
【先行技術文献】
【特許文献】
【０００６】
【特許文献１】特開２０１４−１６５５５７号公報
【非特許文献】
【０００７】
【非特許文献１】IEEE Std 1588-2008, “IEEE Standard for a Precision Clock Synchronization Protocol for Network Measurement and Control Systems, ”2008.
【発明の概要】
【発明が解決しようとする課題】
【０００８】
しかしながら、非特許文献１に記載の技術では、基準時刻を提供するＰＴＰマスタ装置と、当該ＰＴＰマスタ装置が提供する時刻に従属し同期するＰＴＰスレイブ装置との上下伝送遅延が同じであることを前提として動作する。そのため、伝送遅延が上下非対称であるＰＯＮシステムにＩＥＥＥ１５８８ｖ２を適用した場合、時刻同期精度が劣化してしまう。
【０００９】
また、特許文献１に記載されている技術では、上りおよび下りの伝送遅延が非対称であることを考慮して、ＯＬＴでＰＴＰパケットを識別し、下りＰＴＰパケットに遅延を付加することによって、上りおよび下りの伝送遅延を対称化している。しかし、この方式では、ＯＬＴが、ＰＴＰパケットを識別する機能と、遅延を付加する機能といった新たな機能を備える必要があるため、既存のシステムに適用することは不可能である。
【００１０】
また、既存ＯＬＴ側に変更を加えない方法として、ＰＴＰパケット伝送用に、ＯＮＵに上り固定タイムスロットを割り当てることで遅延の一定化を図り、ＰＴＰマスタ装置とＰＴＰスレイブ装置間のＰＴＰパケット伝送において、伝送遅延の小さい伝送方向に対して意図的にＯＮＵの送信タイミングを遅らせることにより、ＰＴＰパケット伝送の上り、下り伝送遅延の対称化を図ることが考えられる。
【００１１】
しかし、ＯＮＵに固定タイムスロットを割り当てる際に、ＰＴＰマスタ装置からマスタＯＮＵ（ＰＴＰマスタ装置からＰＴＰパケットを受信するＯＮＵ）に到達するＰＴＰパケット間隔と、マスタＯＮＵの固定タイムスロット間隔が一致しない場合、ＰＴＰパケットにジッタが発生してしまい、時刻同期が困難になってしまう。また、ＰＴＰマスタ装置とＰＴＰスレイブ装置間の伝送で、伝送遅延の小さい伝送方向に対して意図的に遅延を加える際に、ＲＴＴ（Round Trip Time）１として、マスタＯＮＵからＯＬＴを経由してＯＮＵにＰＴＰパケットが到着する際の遅延時間を調整すると、ＲＴＴ２として、ＯＮＵからＯＬＴを経由してマスタＯＮＵにＰＴＰパケットが到着する際の遅延も変化してしまうため、時刻同期が困難になってしまう。
【００１２】
本発明は、このような事情に鑑みてなされたものであり、マスタＯＮＵで上りのＰＴＰパケットを受信し、時刻情報をＯＬＴ側に提供して、ＯＬＴを介して他の全ＯＮＵに配信するＰＯＮシステムにおいて、ＰＯＮ区間（ＯＬＴとＯＮＵとの区間）のバッファリングやパケットの送信タイミングを調整することによって、上下伝送遅延の対称化を図り、時刻同期の高い精度を維持することができるＰＯＮシステムおよび伝送方法を提供することを目的とする。
【課題を解決するための手段】
【００１３】
（１）上記の目的を達成するために、本発明は、以下のような手段を講じた。すなわち、本発明のＰＯＮシステムは、ＯＬＴ（Optical Line Terminal）と複数のＯＮＵ（Optical Network Unit）との間で１対多（Point to Multi Point）接続の光ファイバ伝送を実現するＰＯＮ（Passive Optical Network）システムであって、ＧＰＳ（Global Positioning System）信号から取得された時刻情報としてのＰＰＳ（Pulse per Second）およびＴｏＤ（Time of Day）、またはＧＰＳ信号から取得された時刻情報に基づいて生成されたＰＴＰパケットを受信するマスタＯＮＵと、前記マスタＯＮＵから取得した時刻情報に基づいて、同期を確立させる少なくとも一つのスレイブＯＮＵと、光分岐器を介して、前記マスタＯＮＵおよび前記スレイブＯＮＵと接続し、前記マスタＯＮＵおよび前記スレイブＯＮＵに対して時分割多重方式により動的に上り帯域を割り当てるＯＬＴ（Optical Line Terminal）と、を備え、前記ＯＬＴから前記マスタＯＮＵ若しくはいずれかの前記スレイブＯＮＵへパケットを送信するタイミング、または前記マスタＯＮＵ若しくはいずれかの前記スレイブＯＮＵから前記ＯＬＴへパケットを送信するタイミングを調整することによって、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延の対称化を図ることを特徴とする。
【００１４】
このように、前記ＯＬＴから前記マスタＯＮＵ若しくはいずれかの前記スレイブＯＮＵへパケットを送信するタイミング、または前記マスタＯＮＵ若しくはいずれかの前記スレイブＯＮＵから前記ＯＬＴへパケットを送信するタイミングを調整することによって、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延の対称化を図るので、時刻同期の精度を高く維持することが可能となる。
【００１５】
（２）また、本発明のＰＯＮシステムにおいて、前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、ＰＯＮ区間において、前記マスタＯＮＵ、前記ＯＬＴおよび前記スレイブＯＮＵへの方向の伝送遅延、並びに、前記スレイブＯＮＵ、前記ＯＬＴおよび前記マスタＯＮＵへの方向の伝送遅延の差分を計算し、前記計算した差分が解消するように、前記マスタＯＮＵの上り送信タイミング若しくはいずれかの前記スレイブＯＮＵの上り送信タイミングまたは前記マスタＯＮＵ若しくはいずれかの前記スレイブＯＮＵに送信すべきパケットの送信タイミングを調整することを特徴とする。
【００１６】
このように、前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当てるので、伝送遅延を常に一定に保つことが可能となる。また、ＰＯＮ区間において、前記マスタＯＮＵ、前記ＯＬＴおよび前記スレイブＯＮＵへの方向の伝送遅延、並びに、前記スレイブＯＮＵ、前記ＯＬＴおよび前記マスタＯＮＵへの方向の伝送遅延の差分を計算し、前記計算した差分が解消するように、前記マスタＯＮＵの上り送信タイミング若しくはいずれかの前記スレイブＯＮＵの上り送信タイミングまたは前記マスタＯＮＵ若しくはいずれかの前記スレイブＯＮＵに送信すべきパケットの送信タイミングを調整することによって、上下伝送遅延の対称化を図るので、時刻同期の高い精度を維持することが可能となる。
【００１７】
（３）また、本発明のＰＯＮシステムにおいて、前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記第１の遅延にさらに遅延を加えることによって、前記第１の伝送遅延と第２の伝送遅延とを等しくすることを特徴とする。
【００１８】
このように、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記第１の遅延にさらに遅延を加えることによって、前記第１の伝送遅延と第２の伝送遅延とを等しくするので、ＰＯＮ区間において、ＯＬＴからマスタＯＮＵおよびスレイブＯＮＵへの方向の伝送遅延およびマスタＯＮＵおよびスレイブＯＮＵからＯＬＴへの方向の伝送遅延である上下伝送遅延の対称化を図り、時刻同期の高い精度を維持することが可能となる。
【００１９】
（４）また、本発明のＰＯＮシステムにおいて、前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記第１の遅延にさらに遅延を加えることによって、前記マスタＯＮＵから前記スレイブＯＮＵまでの伝送遅延が前記第２の伝送遅延よりも大きくなるようにし、前記第２の伝送遅延にさらに遅延を加えることによって、前記第１の伝送遅延と第２の伝送遅延とを等しくすることを特徴とする。
【００２０】
このように、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記第１の遅延にさらに遅延を加えることによって、前記マスタＯＮＵから前記スレイブＯＮＵまでの伝送遅延が前記第２の伝送遅延よりも大きくなるようにし、前記第２の伝送遅延にさらに遅延を加えることによって、前記第１の伝送遅延と第２の伝送遅延とを等しくするので、ＰＯＮ区間において、ＯＬＴからマスタＯＮＵおよびスレイブＯＮＵへの方向の伝送遅延およびマスタＯＮＵおよびスレイブＯＮＵからＯＬＴへの方向の伝送遅延である上下伝送遅延の対称化を図り、時刻同期の高い精度を維持することが可能となる。
【００２１】
（５）また、本発明のＰＯＮシステムにおいて、前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記スレイブＯＮＵの上りタイムスロットとＰＴＰパケットの到着タイミングとを一致させながら、前記第１の伝送遅延にさらに遅延を加えることによって、前記第１の伝送遅延と第２の伝送遅延とを等しくすることを特徴とする。
【００２２】
このように、前記ＯＬＴは、前記マスタＯＮＵから前記スレイブＯＮＵまでの第１の伝送遅延と、前記スレイブＯＮＵから前記マスタＯＮＵまでの第２の伝送遅延とを比較し、前記第１の伝送遅延が小さい場合は、前記スレイブＯＮＵの上りタイムスロットとＰＴＰパケットの到着タイミングとを一致させながら、前記第１の伝送遅延にさらに遅延を加えることによって、前記第１の伝送遅延と第２の伝送遅延とを等しくするので、ＰＯＮ区間において、ＯＬＴからマスタＯＮＵおよびスレイブＯＮＵへの方向の伝送遅延およびマスタＯＮＵおよびスレイブＯＮＵからＯＬＴへの方向の伝送遅延である上下伝送遅延の対称化を図り、時刻同期の高い精度を維持することが可能となる。
【００２３】
（６）また、本発明のＰＯＮシステムにおいて、前記マスタＯＮＵは、ＰＴＰ（Precision Time Protocol）パケットが到着してから所定時間後に送信する次のＰＴＰパケットの送信タイミングを前記ＯＬＴに通知し、またはＰＴＰパケットの到着時間および送信時間を前記ＯＬＴに通知し、前記ＯＬＴは、前記マスタＯＮＵからの通知に基づいて、前記マスタＯＮＵにＰＴＰパケットが到着してから所定時間後に前記マスタＯＮＵが次のＰＴＰパケットを送信するための上り帯域を割り当てると共に、前記スレイブＯＮＵに対してＰＴＰパケットの下り伝送をする際に、前記スレイブＯＮＵにＰＴＰパケットが到着してから所定時間経過後に前記スレイブＯＮＵの配下のＰＴＰスレイブ装置から折り返されるＰＴＰパケットを上り伝送するための帯域を前記スレイブＯＮＵに割り当てることを特徴とする。
【００２４】
このように、ＰＴＰ（Precision Time Protocol）パケットが到着してから所定時間後に送信する次のＰＴＰパケットの送信タイミングを前記ＯＬＴに通知し、またはＰＴＰパケットの到着時間および送信時間を前記ＯＬＴに通知し、前記ＯＬＴは、前記マスタＯＮＵからの通知に基づいて、前記マスタＯＮＵにＰＴＰパケットが到着してから所定時間後に前記マスタＯＮＵが次のＰＴＰパケットを送信するための上り帯域を割り当てると共に、前記スレイブＯＮＵに対してＰＴＰパケットの下り伝送をする際に、前記スレイブＯＮＵにＰＴＰパケットが到着してから所定時間経過後に前記スレイブＯＮＵの配下のＰＴＰスレイブ装置から折り返されるＰＴＰパケットを上り伝送するための帯域を前記スレイブＯＮＵに割り当てるので、時刻同期の高い精度を維持することが可能となる。また、ＰＴＰ送信用の固定タイムスロットを割り当てないため、マスタＯＮＵおよびスレイブＯＮＵ内での上り遅延を最小化すると共に、遅延差分も最小化し、マスタＯＮＵとスレイブＯＮＵ間の伝送遅延差分精度も向上する。さらに、マスタＯＮＵからＯＬＴを経由してスレイブＯＮＵに伝送する方向の遅延が小さい時の問題を無視することが可能となる。
【００２５】
（７）また、本発明のＰＯＮシステムにおいて、ＰＯＮ区間で同期システムを適用して時刻同期を取ると共に、前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、または、前記マスタＯＮＵは、ＰＴＰパケットが到着してから所定時間後に送信する次のＰＴＰパケットの送信タイミングを前記ＯＬＴに通知し、若しくはＰＴＰパケットの到着時間および送信時間を前記ＯＬＴに通知し、前記ＯＬＴは、前記マスタＯＮＵからの通知に基づいて、前記マスタＯＮＵにＰＴＰパケットが到着してから所定時間後に前記マスタＯＮＵが次のＰＴＰパケットを送信するための上り帯域を割り当てると共に、前記スレイブＯＮＵに対してＰＴＰパケットの下り伝送をする際に、前記スレイブＯＮＵにＰＴＰパケットが到着してから所定時間経過後に前記スレイブＯＮＵの配下のＰＴＰスレイブ装置から折り返されるＰＴＰパケットを上り伝送するための帯域を前記スレイブＯＮＵに割り当て、前記ＯＬＴ、前記マスタＯＮＵおよび前記スレイブＯＮＵは、ＰＴＰパケットが自装置に到着した時刻を示す時刻情報をＰＴＰパケットの送信先に送信する一方、時刻情報を受信したときに、その時刻情報の送信元との伝送遅延を算出し、前記マスタＯＮＵまたは前記スレイブＯＮＵは、前記算出した伝送遅延を前記ＯＬＴに送信すると共に、その送信時刻を送信することを特徴とする。
【００２６】
このように、ＰＯＮ区間で同期システム（802.1AS等）を適用して時刻同期を取ると共に、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当てるので、伝送遅延を常に一定に保つことが可能となる。また、前記マスタＯＮＵは、ＰＴＰパケットが到着してから所定時間後に送信する次のＰＴＰパケットの送信タイミングを前記ＯＬＴに通知し、若しくはＰＴＰパケットの到着時間および送信時間を前記ＯＬＴに通知し、前記ＯＬＴは、前記マスタＯＮＵからの通知に基づいて、前記マスタＯＮＵにＰＴＰパケットが到着してから所定時間後に前記マスタＯＮＵが次のＰＴＰパケットを送信するための上り帯域を割り当てると共に、前記スレイブＯＮＵに対してＰＴＰパケットの下り伝送をする際に、前記スレイブＯＮＵにＰＴＰパケットが到着してから所定時間経過後に前記スレイブＯＮＵの配下のＰＴＰスレイブ装置から折り返されるＰＴＰパケットを上り伝送するための帯域を前記スレイブＯＮＵに割り当てるので、ＰＯＮ区間で同期システムを適用することが可能となる。また、ＯＬＴ、マスタＯＮＵおよびスレイブＯＮＵは、ＰＴＰパケットが自装置に到着した時刻を示す時刻情報をＰＴＰパケットの送信先に送信する一方、時刻情報を受信したときに、その時刻情報の送信元との伝送遅延を算出し、マスタＯＮＵまたはスレイブＯＮＵは、算出した伝送遅延をＯＬＴに送信すると共に、その送信時刻を送信するので、マスタＯＮＵからＯＬＴ、ＯＬＴからスレイブＯＮＵ、スレイブＯＮＵからＯＬＴ、ＯＬＴからマスタＯＮＵにおける遅延を求めることが可能となる。その結果、精度の高い時刻同期を行うことが可能となる。
【００２７】
（８）また、本発明のＰＯＮシステムにおいて、前記ＯＬＴは、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延を一定の固定値に固定すると共に、実際の上下伝送遅延を測定し、下りのＰＴＰパケットを受信した場合、前記固定値および前記実際の上下伝送遅延に基づいて、いずれかの前記スレイブＯＮＵに送信すべきパケットの送信タイミングを調整する一方、いずれかの前記スレイブＯＮＵから、上りのＰＴＰパケットを受信してから上りデータの有無を示す通知をするまでの時間が通知された場合は、前記固定値および前記実際の上下伝送遅延に基づいて、前記スレイブＯＮＵのＰＴＰパケットの送信タイミングを調整することを特徴とする。
【００２８】
このように、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延を一定の固定値に固定するので、上下伝送遅延がばらばらになることが無くなる。また、実際の上下伝送遅延を測定し、下りのＰＴＰパケットを受信した場合、前記固定値および前記実際の上下伝送遅延に基づいて、いずれかの前記スレイブＯＮＵに送信すべきパケットの送信タイミングを調整する一方、いずれかの前記スレイブＯＮＵから、上りのＰＴＰパケットを受信してから上りデータの有無を示す通知をするまでの時間が通知された場合は、前記固定値および前記実際の上下伝送遅延に基づいて、前記スレイブＯＮＵのＰＴＰパケットの送信タイミングを調整するので、時刻同期の高い精度を維持することが可能となる。
【００２９】
（９）また、本発明のＰＯＮシステムにおいて、前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延の差分を計算し、ＰＴＰパケットの到着時間と送信時間とから算出される機器内遅延情報に基づいて、前記マスタＯＮＵおよび前記スレイブＯＮＵにおける遅延が一致するように、前記マスタＯＮＵおよび前記スレイブＯＮＵの固定タイムスロットのタイミングを調整することを特徴とする。
【００３０】
このように、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当てるので、伝送遅延を常に一定に保つことが可能となる。また、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延の差分を計算し、ＰＴＰパケットの到着時間と送信時間とから算出される機器内遅延情報に基づいて、前記マスタＯＮＵおよび前記スレイブＯＮＵにおける遅延が一致するように、前記マスタＯＮＵおよび前記スレイブＯＮＵの固定タイムスロットのタイミングを調整するので、時刻同期の高い精度を維持することが可能となる。
【００３１】
（１０）また、本発明のＰＯＮシステムにおいて、前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、ＰＯＮ区間において、前記ＯＬＴから前記マスタＯＮＵおよび前記スレイブＯＮＵへの方向の伝送遅延および前記マスタＯＮＵおよび前記スレイブＯＮＵから前記ＯＬＴへの方向の伝送遅延である上下伝送遅延の差分を計算し、前記マスタＯＮＵおよび前記スレイブＯＮＵから取得したＰＴＰパケットの到着時間と送信時間とから算出される機器内遅延情報に基づいて、前記ＯＬＴから前記マスタＯＮＵへの伝送に前記マスタＯＮＵ内での遅延と同一の遅延を付加すると共に、前記ＯＬＴから前記スレイブＯＮＵへの伝送に、前記スレイブＯＮＵ内での遅延と同一の遅延を付加することを特徴とする。
【００３２】
このように、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当てるので、伝送遅延を常に一定に保つことが可能となる。また、ＰＯＮ区間において、前記ＯＬＴから前記マスタＯＮＵおよび前記スレイブＯＮＵへの方向の伝送遅延および前記マスタＯＮＵおよび前記スレイブＯＮＵから前記ＯＬＴへの方向の伝送遅延である上下伝送遅延の差分を計算し、前記マスタＯＮＵおよび前記スレイブＯＮＵから取得したＰＴＰパケットの到着時間と送信時間とから算出される機器内遅延情報に基づいて、前記ＯＬＴから前記マスタＯＮＵへの伝送に前記マスタＯＮＵ内での遅延と同一の遅延を付加すると共に、前記ＯＬＴから前記スレイブＯＮＵへの伝送に、前記スレイブＯＮＵ内での遅延と同一の遅延を付加するので、時刻同期の高い精度を維持することが可能となる。
【００３３】
（１１）また、本発明のＰＯＮシステムにおいて、前記ＯＬＴは、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当て、前記マスタＯＮＵおよび前記スレイブＯＮＵは、ＰＴＰパケットが到着してから送信するまでの装置内遅延情報を保持し、ＰＴＰパケットを前記ＯＬＴへ送信した後、前記ＯＬＴから受信したＰＴＰパケットに前記装置内遅延と同等の遅延を付加し、前記マスタＯＮＵは、ＰＴＰマスタ装置または配下のＰＴＰスレイブ装置にＰＴＰパケットを送信する一方、前記スレイブＯＮＵは、配下のＰＴＰスレイブ装置にＰＴＰパケットを送信することを特徴とする。
【００３４】
このように、前記マスタＯＮＵおよび前記スレイブＯＮＵが上り伝送を行うために、前記マスタＯＮＵおよび前記スレイブＯＮＵに対し、ＰＴＰ（Precision Time Protocol）パケットの送信間隔と一致する間隔を有するＰＴＰ送信用の固定タイムスロットを割り当てるので、伝送遅延を常に一定に保つことが可能となる。また、前記マスタＯＮＵおよび前記スレイブＯＮＵは、ＰＴＰパケットが到着してから送信するまでの装置内遅延情報を保持し、ＰＴＰパケットを前記ＯＬＴへ送信した後、前記ＯＬＴから受信したＰＴＰパケットに前記装置内遅延と同等の遅延を付加し、前記マスタＯＮＵは、ＰＴＰマスタ装置または配下のＰＴＰスレイブ装置にＰＴＰパケットを送信する一方、前記スレイブＯＮＵは、配下のＰＴＰスレイブ装置にＰＴＰパケットを送信するので、時刻同期の高い精度を維持することが可能となる。
【００３５】
（１２）また、本発明の伝送方法は、ＯＬＴ（Optical Line Terminal）と複数のＯＮＵ（Optical Network Unit）との間で１対多（Point to Multi Point）接続の光ファイバ伝送を実現するＰＯＮ（Passive Optical Network）システムの伝送方法であって、マスタＯＮＵ（Optical Network Unit）において、ＧＰＳ（Global Positioning System）信号から取得された時刻情報としてのＰＰＳ（Pulse per Second）およびＴｏＤ（Time of Day）、またはＧＰＳ信号から取得された時刻情報に基づいて生成されたＰＴＰパケットを受信するステップと、少なくとも一つのスレイブＯＮＵにおいて、前記マスタＯＮＵから取得した時刻情報に基づいて、同期を確立させるステップと、ＯＬＴ（Optical Line Terminal）において、光分岐器を介して、前記マスタＯＮＵおよび前記スレイブＯＮＵと接続し、前記マスタＯＮＵおよび前記スレイブＯＮＵに対して時分割多重方式により動的に上り帯域を割り当てるステップと、を含み、前記ＯＬＴから前記マスタＯＮＵ若しくはいずれかの前記スレイブＯＮＵへパケットを送信するタイミング、または前記マスタＯＮＵ若しくはいずれかの前記スレイブＯＮＵから前記ＯＬＴへパケットを送信するタイミングを調整することによって、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延の対称化を図ることを特徴とする。
【００３６】
このように、前記ＯＬＴから前記マスタＯＮＵ若しくはいずれかの前記スレイブＯＮＵへパケットを送信するタイミングまたは前記マスタＯＮＵ若しくはいずれかの前記スレイブＯＮＵから前記ＯＬＴへパケットを送信するタイミングを調整することによって、ＰＯＮ区間において、前記マスタＯＮＵ、前記ＯＬＴおよび前記スレイブＯＮＵへの方向の伝送遅延並びに前記スレイブＯＮＵ、前記ＯＬＴおよび前記マスタＯＮＵへの方向の伝送遅延の対称化を図るので、時刻同期の精度を高く維持することが可能となる。
【発明の効果】
【００３７】
本発明によれば、ＯＬＴからいずれかのＯＮＵへパケットを送信するタイミングまたはいずれかのＯＮＵからＯＬＴへパケットを送信するタイミングを調整することによって、上下伝送遅延の対称化を図るので、時刻同期の精度を高く維持することが可能となる。
【図面の簡単な説明】
【００３８】
【図１】本発明の実施形態に係るＰＯＮシステムの概略構成を示す図である。
【図２】ＩＥＥＥ１５８８ｖ２のＰＴＰマスタ装置−ＰＴＰスレイブ装置間の時刻同期シーケンスを示す図である。
【図３】マスタＯＮＵまたはスレイブＯＮＵの上り伝送用の固定タイムスロットの様子と、ＰＴＰパケットのマスタＯＮＵまたはスレイブＯＮＵへの到着間隔を示す図である。
【図４】ＯＬＴの伝送遅延テーブルの一例を示す図である。
【図５】マスタＯＮＵにおいてＰＴＰパケットの送信タイミングを遅らせる例を示す図である。
【図６】ＯＬＴにおいて、伝送遅延差分に相当する期間、ＯＬＴにおいて、受信したパケットをバッファで蓄えてから下り送信をする例を示す図である。
【図７】実施例２に係るＰＯＮシステムの概略構成を示す図である。
【図８】実施例２に係るＰＯＮシステムの概略構成を示す図である。
【図９】マスタＯＮＵまたはスレイブＯＮＵとＯＬＴのシーケンスチャートであり、（ａ）に一般的な上りのＤＢＡプロセスを示し、（ｂ）に実施例２に係るＤＢＡのプロセスを示している。
【図１０】マスタＯＮＵまたはスレイブＯＮＵの上り伝送のタイムスロットのと、マスタＯＮＵまたはスレイブＯＮＵの上りのＰＴＰパケットの到着時間との関係を示す図である。
【図１１】ＰＴＰパケットが、マスタＯＮＵからＯＬＴを経由してスレイブＯＮＵに到達する伝送の概要を示す図である。
【図１２】ＯＬＴの伝送遅延テーブルの一例を示す図である。
【図１３】（ａ）は、通常のＴＤＭ−ＰＯＮのシーケンスを示す図であり、（ｂ）は、実施例３に係るＴＤＭ−ＰＯＮのシーケンスを示す図である。
【図１４】（ａ）は、マスタＯＮＵにＧＭが接続されている例を示し、（ｂ）は、ＯＬＴにＧＭが接続されている例を示す。
【図１５】（ａ）は、下り伝送におけるＯＬＴとマスタＯＮＵまたはスレイブＯＮＵのシーケンスチャートであり、（ｂ）は、上り伝送におけるＯＬＴとマスタＯＮＵまたはスレイブＯＮＵのシーケンスチャートである。
【発明を実施するための形態】
【００３９】
本発明者らは、ＯＮＵ側で取得したＧＰＳ信号の時刻情報をＯＬＴに提供し、その時刻情報を、ＯＬＴを介して各ＯＮＵに配信するというループバック方式を実現しようとする場合、時刻同期精度を高める必要があること、マスタおよびスレイブＯＮＵからＯＬＴへのＰＴＰパケット伝送のために上り固定タイムスロットを割り当てる場合、マスタＯＮＵに到着するＰＴＰパケットの間隔とＯＮＵに割り当てられる上り固定タイムスロットの間隔がばらばらであると、ＰＴＰパケットにジッタが発生して時刻同期が困難になること、そして、一つのＲＴＴ（パケットがマスタＯＮＵからＯＬＴを経由してスレイブＯＮＵに到達するまでの遅延）の遅延時間を調整すると、他のＲＴＴ（パケットがスレイブＯＮＵからＯＬＴを経由してマスタＯＮＵに到達するまでの遅延）も変化してしまい時刻同期が困難になることに着目し、ＯＬＴからいずれかのＯＮＵへパケットを送信するタイミングまたはいずれかのＯＮＵからＯＬＴへパケットを送信するタイミングを調整することによって、上下伝送遅延の対称化を実現できることを見出し、本発明に至った。
【００４０】
すなわち、本発明のＰＯＮシステムは、ＯＬＴ（Optical Line Terminal）と複数のＯＮＵ（Optical Network Unit）との間で１対多（Point to Multi Point）接続の光ファイバ伝送を実現するＰＯＮ（Passive Optical Network）システムであって、ＧＰＳ（Global Positioning System）信号から時刻情報を取得し、またはＧＰＳ信号から取得された時刻情報に基づいて生成されたＰＰＳ（Pulse per Second）およびＴｏＤ（Time of Day））、またはＰＴＰパケットを受信するマスタＯＮＵと、前記マスタＯＮＵから取得した時刻情報に基づいて、同期を確立させる少なくとも一つのスレイブＯＮＵと、光分岐器を介して、前記マスタＯＮＵおよび前記スレイブＯＮＵと接続し、前記マスタＯＮＵおよび前記スレイブＯＮＵに対して時分割多重方式により動的に上り帯域を割り当てるＯＬＴ（Optical Line Terminal）と、を備え、前記ＯＬＴからいずれかの前記スレイブＯＮＵへパケットを送信するタイミングまたはいずれかの前記スレイブＯＮＵから前記ＯＬＴへパケットを送信するタイミングを調整することによって、ＰＯＮ区間において、前記ＯＬＴから前記マスタＯＮＵおよび前記スレイブＯＮＵへの方向の伝送遅延および前記マスタＯＮＵおよび前記スレイブＯＮＵから前記ＯＬＴへの方向の伝送遅延である上下伝送遅延の対称化を図ることを特徴とする。
【００４１】
これにより、本発明者らは、時刻同期の精度を高く維持することを可能とした。以下、本発明の実施形態について、図面を参照しながら具体的に説明する。
【００４２】
図１は、本発明の実施形態に係るＰＯＮシステムの概略構成を示す図である。図１に示すように、このＰＯＮシステムは、ＯＬＴ１０の配下に、光スプリッタ（光分岐器）３０を介して合計ｎ台（ｎは任意の整数）のＯＮＵ４０−１〜４０−ｎが接続されている。マスタＯＮＵ４０−１には、ＰＴＰマスタ装置５０が接続されており、ＰＴＰマスタ装置５０は、ＧＰＳアンテナ５１を有する。また、スレイブＯＮＵ４０−２〜４０−ｎには、それぞれＰＴＰスレイブ装置５２−１〜５２−（ｎ−１）が接続されている。ＰＴＰマスタ装置５０、ＰＴＰスレイブ装置５２−１〜５２−（ｎ−１）には、それぞれ、基地局装置６０−１〜６０−ｎが接続されている。
【００４３】
ＧＰＳアンテナ５１で受信した時刻情報は、ＰＴＰマスタ装置５０、マスタＯＮＵ４０−１、ＯＬＴ１０を介して他のスレイブＯＮＵ４０−２〜４０−ｎに配信される。なお、この時刻情報は、マスタＯＬＴ１０を介して、ＯＮＵ４０−１に配信されても良い。
【００４４】
図２は、ＩＥＥＥ１５８８ｖ２のＰＴＰマスタ装置−ＰＴＰスレイブ装置間の時刻同期シーケンスを示す図である。マスタＯＮＵが時刻ｔ１でスレイブＯＮＵに対して「Sync(t1)」を送信し、スレイブＯＮＵに時刻ｔ２に到着したとする。スレイブＯＮＵは、時刻ｔ３でマスタＯＮＵに対して「Delay_Req」を送信し、これがマスタＯＮＵに時刻ｔ４に到着したとする。また、マスタＯＮＵは、時刻ｔ４で「Delay_Resp(t4)」を送信したとする。この場合、スレイブＯＮＵは、以下の式からマスタＯＮＵとの時刻差分を算出し、自装置の時刻を補正することが可能となる。
（ｄｅｌａｙ）＝｛（ｔ２−ｔ１）＋（ｔ４−ｔ３）｝／２
【実施例１】
【００４５】
実施例１では、マスタＯＮＵおよびスレイブＯＮＵに対する固定タイムスロットの割り当て方法を変更し、ＰＴＰパケットに遅延方法を追加する態様について説明する。
【００４６】
（１）まず、ＯＮＵからＯＬＴへの上り伝送において、ＰＴＰパケットを伝送するために、常に固定タイムスロットを割り当てる。図３は、マスタＯＮＵまたはスレイブＯＮＵの上り伝送用の固定タイムスロットの様子と、ＰＴＰパケットのマスタＯＮＵまたはスレイブＯＮＵへの到着間隔を示す図である。図３に示すように、マスタＯＮＵへのＰＴＰパケットの到着間隔と固定タイムスロットの間隔とを一致させることによって、常に伝送遅延を一定に保つことが可能となる。また、マスタＯＮＵ以外のスレイブＯＮＵからＯＬＴへの通信においても、上記と同様に、ＰＴＰパケットの到着間隔と固定タイムスロットの間隔とを一致させることによって、伝送遅延を一定に保つ。
【００４７】
（２）次に、ＧＰＳアンテナを設置したマスタＯＮＵとスレイブＯＮＵ間のＰＯＮ区間において、ＯＬＴからマスタＯＮＵおよびスレイブＯＮＵへの方向の伝送遅延およびマスタＯＮＵおよびスレイブＯＮＵからＯＬＴへの方向の伝送遅延である上下伝送遅延の差分をＯＬＴで計測する。ＯＬＴは、この計測をする際に、単に、ＲＴＴの測定だけでなく、上り伝送待機時間を考慮した遅延の計測を行う。なお、ここで、マスタおよびスレイブＯＮＵとＯＬＴの機器伝送遅延は一定と仮定し、オフセット処理をする。図４は、ＯＬＴの伝送遅延テーブルの一例を示す図である。図４に示すように、ＯＬＴは、ＯＮＵを特定する番号と上りおよび下りの遅延を把握する。
【００４８】
（３）次に、マスタＯＮＵからＯＬＴを経由してスレイブＯＮＵに到着するまでのＰＴＰパケット通信で、伝送遅延の小さい伝送方向に対して、マスタＯＮＵの上り送信タイミングを上記のように計算した遅延差分を付加し、遅らせる。図５は、マスタＯＮＵにおいてＰＴＰパケットの送信タイミングを遅らせる例を示す図である。ここでは、マスタＯＮＵからＯＬＴにＰＴＰパケットを送信する際に、待ち時間を設けることによって、ＰＴＰパケットの送信タイミングを遅らせている。これにより、上下伝送遅延を対称化させることが可能となる。
【００４９】
（３’）また、伝送遅延の小さい方の伝送において、上記伝送遅延差分に相当する期間、ＯＬＴにおいて、受信したパケットをバッファで蓄えてから下り送信をするようにしても良い。図６は、ＯＬＴにおいて、伝送遅延差分に相当する期間、ＯＬＴにおいて、受信したパケットをバッファで蓄えてから下り送信をする例を示す図である。ここでは、ＯＬＴからスレイブＯＮＵにＰＴＰパケットを送信する際に、待ち時間を設けることによって、ＰＴＰパケットの送信タイミングを遅らせている。これにより、上下伝送遅延を対称化させることが可能となる。
【００５０】
（４）また、上記の（３）または（３’）において、マスタＯＮＵからＯＬＴを経由してスレイブＯＮＵに到達するまでの伝送遅延が小さい時には、スレイブＯＮＵからＯＬＴを経由してマスタＯＮＵに到達する伝送において、スレイブＯＮＵ内での上り遅延（ＰＴＰパケットの到着時間と送信時間の差を算出）も考慮して、マスタＯＮＵからＯＬＴを経由してスレイブＯＮＵに到達するまでの伝送に遅延を加えても良い。
【００５１】
（４’）また、上記の（３）または（３’）において、マスタＯＮＵからＯＬＴを経由してスレイブＯＮＵに到達する伝送の遅延が小さい時には、意図的にその伝送の遅延が大きくなるように調整した後に、スレイブＯＮＵからＯＬＴを経由してマスタＯＮＵに到達する伝送に遅延を加えるようにしても良い。
【００５２】
（４’’）また、上記の（３）または（３’）において、マスタＯＮＵからＯＬＴを経由してスレイブＯＮＵに到達する伝送の遅延が小さい時には、スレイブＯＮＵの上りタイムスロットとＰＴＰパケット到着タイミングを一致させるようにしても良い。これは、ＯＬＴで、スレイブＯＮＵの上り帯域を割り当てる際に、スレイブＯＮＵからＰＴＰスレイブ装置で折り返してスレイブＯＮＵに到達する伝送の遅延を想定することによって実現する。その後、マスタＯＮＵからＯＬＴを経由してスレイブＯＮＵに到達する伝送方向に遅延を加えるようにしても良い。
【００５３】
これにより、上下伝送遅延の対称化を図り、時刻同期の精度を高く維持することが可能となる。
【実施例２】
【００５４】
実施例２では、マスタおよびスレイブＯＮＵへのタイムスロットの割り当て方法およびＰＴＰパケットの遅延方法の変更について説明する。図７および図８は、実施例２に係るＰＯＮシステムの概略構成を示す図である。図９は、マスタＯＮＵおよびスレイブＯＮＵとＯＬＴのシーケンスチャートであり、図９（ａ）に一般的な上りのＤＢＡプロセスを示し、図９（ｂ）に実施例２に係るＤＢＡのプロセスを示している。図１０は、マスタＯＮＵまたはスレイブＯＮＵの上り伝送のタイムスロットのと、マスタＯＮＵまたはスレイブＯＮＵの上りのＰＴＰパケットの到着時間との関係を示す図である。
【００５５】
図７において、マスタＯＮＵでは、ＰＴＰパケット到着後、ｘ秒後に、次のＰＴＰパケットを伝送するための帯域を確保するために、ＯＬＴにその情報を通知する機能を有する。すなわち、ＯＬＴへの蓄積データ量通知時に送信タイミング情報も通知する。ＯＬＴは、マスタＯＮＵから通知されたＰＴＰパケットの送信タイミング情報と帯域を認識する機能を有する。スレイブＯＮＵ１〜Ｎは、ＯＬＴからＰＴＰパケットが到着した後、ｙ秒後に次のＰＴＰパケットを伝送するための帯域を確保するために、ＯＬＴにその情報を通知する。すなわち、ＯＬＴへの蓄積データ量通知時に送信タイミング情報も通知する。なお、図７では、マスタＯＮＵの配下にＧＭ（PTP Grand Master）を配置した例を示したが、マスタＯＮＵの配下にＰＴＰスレイブ装置が設置される場合もある。
【００５６】
また、図８に示すように、マスタＯＮＵで、ＰＴＰパケットの到着時間および送信時間（またはＯＮＵ内遅延）をＯＬＴに通知し、ＯＬＴが、ＰＴＰパケット到着後のｘ秒後の上り帯域割当およびＯＬＴからスレイブＯＮＵに送信したＰＴＰパケットがスレイブＯＮＵに到着する時間からｙ秒後の上り帯域割当をする機能を有するようにしても良い。すなわち、図８に示すように、ＯＬＴは、マスタＯＮＵへのＰＴＰパケット到着時間後、ｘ秒後に次のＰＴＰパケット伝送用の帯域を割り当てる。また、ＯＬＴは、スレイブＯＮＵにＰＴＰパケットが到着する想定時間からｙ秒後に上り帯域を割り当てる。
【００５７】
なお、上記で、ｘ秒後はＰＴＰパケット間隔、ｙ秒後はＰＴＰスレイブ装置での処理時間を考慮して算出したり、スレイブＯＮＵからＰＴＰスレイブ装置を折り返してスレイブＯＮＵに到達する伝送で戻ってきたＰＴＰパケットの到着時間から算出することが可能である。
【００５８】
（１）マスタＯＮＵからＯＬＴへの上り伝送において、ＰＴＰパケットがマスタＯＮＵに届いたｘ秒後（ＰＴＰパケット間隔）に、次のＰＴＰパケットを伝送するための上り帯域を予約する。同様に、ＯＬＴからスレイブＯＮＵへＰＴＰパケットを下り伝送する際に、スレイブＯＮＵに届いたｙ秒後にＰＴＰスレイブ装置からの折り返しＰＴＰパケットを送信するための上り帯域を予約する。図９（ｂ）に示すように、マスタＯＮＵは、ＰＴＰパケット到着後に、次の送信タイミングをＯＬＴに通知する機能を有し、ＯＬＴは、マスタＯＮＵから通知された送信タイミングを検知する機能を有する。
【００５９】
（２）ＧＰＳアンテナを設置したマスタＯＮＵとスレイブＯＮＵ間のＰＯＮ区間において、ＯＬＴからマスタＯＮＵおよびスレイブＯＮＵへの方向の伝送遅延およびマスタＯＮＵおよびスレイブＯＮＵからＯＬＴへの方向の伝送遅延である上下伝送遅延の差分をＯＬＴで計測する。図４に示すように、ＯＬＴは、スレイブＯＮＵを特定する番号と上りおよび下りの遅延を把握する。
【００６０】
（３）次に、マスタＯＮＵからＯＬＴを経由してスレイブＯＮＵに到達する伝送のＰＴＰパケット通信で、伝送遅延の小さい伝送方向に対して、スレイブＯＮＵの上り送信タイミングを上記遅延差分だけ遅らせる。図５は、マスタＯＮＵにおいてＰＴＰパケットの送信タイミングを遅らせる例を示す図である。これにより、上下伝送遅延を対称化させることが可能となる。
【００６１】
（３’）一方、遅延が小さい方の伝送において、上記伝送遅延差分に相当する期間、ＯＬＴでは受信したパケットをバッファで蓄えてから下り送信するようにしても良い。図６は、ＯＬＴにおいて、伝送遅延差分に相当する期間、ＯＬＴにおいて、受信したパケットをバッファで蓄えてから下り送信をする例を示す図である。これにより、上下伝送遅延を対称化させることが可能となる。
【００６２】
図１０に示すように、実施例２では、固定タイムスロットを用いないことから、マスタＯＮＵおよびスレイブＯＮＵ内での上り遅延を最小化し（遅延差分も最小化）、マスタＯＮＵとスレイブＯＮＵ間の伝送遅延差分精度を向上させることが可能となる。また、マスタＯＮＵからＯＬＴを経由してスレイブＯＮＵに到達する伝送の遅延が小さい時の問題を無視することが可能となる。
【実施例３】
【００６３】
実施例３では、ＰＯＮ区間の同期機能を利用したＰＴＰパケットの基本シーケンスについて説明する。図１１は、ＰＴＰパケットが、マスタＯＮＵからＯＬＴを経由してスレイブＯＮＵに到達する伝送の概要を示す図である。ＧＭからマスタＯＮＵにＰＴＰパケットが時刻ｔ１に到着すると、マスタＯＮＵは、その時刻ｔ１をＯＬＴに通知する。ＯＬＴは、ＰＴＰパケットが時刻ｔ２に到着したことを確認すると、ｔ２−ｔ１から、マスタＯＮＵからＯＬＴ間の遅延を計算する。そして、ｔ２を配下のＯＮＵ（マスタＯＮＵおよびスレイブＯＮＵを含む）に通知する。マスタおよびスレイブＯＮＵは、ＯＬＴからＰＴＰパケットが時刻ｔ３で到着したことを確認すると、ｔ３−ｔ２から、ＯＬＴからＯＮＵ間の遅延を計算し、これをＯＬＴに通知する。なお、図１１では、マスタＯＮＵの配下にＧＭ（PTP Grand Master）を配置した例を示したが、マスタＯＮＵの配下にＰＴＰスレイブ装置が設置される場合もある。また、図１１において、逆方向での動作も同様であるが、スレイブＯＮＵ１〜Ｎの送信時刻ｔ４をＯＬＴに送信する。
【００６４】
（１）マスタＯＮＵからＯＬＴへの上り伝送において、ＰＴＰパケットを送信するために常に固定タイムスロットを割り当てる。マスタＯＮＵへのＰＴＰパケットの間隔と固定タイムスロットの間隔を一致させることによって、常に伝送遅延を一定に保つことが可能となる。マスタＯＮＵ以外のスレイブＯＮＵからＯＬＴへの通信においても、上記と同様に、ＰＴＰパケット間隔と固定タイムスロット間隔を一致させることによって、伝送遅延を一定に保つ。
【００６５】
（１’）マスタＯＮＵからＯＬＴへの上り伝送において、ＰＴＰパケットがマスタＯＮＵに届いたｘ秒後（ＰＴＰパケット間隔）に、次のＰＴＰパケットを伝送するための上り帯域を予約する。また、ＯＬＴからスレイブＯＮＵへＰＴＰパケットを下り伝送する際に、スレイブＯＮＵに届いたｙ秒後に、ＰＴＰスレイブ装置から折り返されたＰＴＰパケットを送信するための上り帯域を予約する。
【００６６】
ここで、スレイブＯＮＵは、ＰＴＰパケットが到着した後に、次の送信タイミングをＯＬＴに通知する機能を有する。また、ＯＬＴは、スレイブＯＮＵから通知された送信タイミングを検知する機能を有する。または、マスタＯＮＵで、ＰＴＰパケットの到着時間および送信時間（またはＯＮＵ内遅延）をＯＬＴ側に通知し、ＯＬＴは、ＰＴＰパケットが到着してからｘ秒後の上り帯域の割り当て、スレイブＯＮＵにＰＴＰパケットが到着する時間からｙ秒後の上り帯域を割り当てる機能を有する。
【００６７】
なお、上記において、ｘ秒をＰＴＰパケット間隔、ｙ秒をＰＴＰスレイブ装置での処理時間を考慮して算出したり、スレイブＯＮＵからＰＴＰスレイブ装置で折り返されてスレイブＯＮＵに到達する伝送で戻ってきたＰＴＰパケットの到着時間から算出することも可能である。
【００６８】
（２）ＯＬＴと全ＯＮＵのＰＯＮ区間で、例えば、同期システムとして８０２．１ＡＳ等を使って高精度に時刻同期を取る。
【００６９】
（３）次に、マスタＯＮＵからＯＬＴ、ＯＬＴからスレイブＯＮＵ、スレイブＯＮＵからＯＬＴ、ＯＬＴからマスタＯＮＵへの遅延を、それぞれＰＴＰパケットが到着した時刻情報を受け手側に伝送することで求める。なお、ＲＴＴについては、ファイバ伝送のみを考慮するが、本実施例３では、機器内遅延も含んでいる。
【００７０】
マスタＯＮＵ側から、その遅延情報をＯＬＴ側に送信し、また、スレイブＯＮＵからＯＬＴの伝送遅延については、スレイブＯＮＵから送信時刻情報をＯＬＴに送信することによって把握する。
【００７１】
（４）マスタＯＮＵからＯＬＴを経由してスレイブＯＮＵに到達する伝送の遅延と、その逆のスレイブＯＮＵからＯＬＴを経由してマスタＯＮＵに到達する伝送の遅延の差分を、ＯＬＴが求める。ここでは、各区間での遅延も含む。図１２は、ＯＬＴの伝送遅延テーブルの一例を示す図である。図１２に示すように、上りの遅延と下りの遅延をそれぞれ把握すると共に、区間の順方向における遅延と逆方向における遅延を把握する。
【００７２】
（５）実施例３では、上りと下りの遅延を同じにするため、遅延の小さい伝送に対して、意図的にマスタまたはスレイブＯＮＵ送信タイミングに遅延を加える。ただし、上記（１）の手法を利用する場合、マスタＯＮＵからＯＬＴを経由してスレイブＯＮＵに到達する伝送の遅延の方が小さい場合は、（ａ）スレイブＯＮＵからＯＬＴを経由してマスタＯＮＵに到達する伝送のスレイブＯＮＵ内での上り遅延をも考慮して遅延を加える。また、（ｂ）スレイブＯＮＵからＯＬＴを経由してマスタＯＮＵに到達する伝送の方の遅延を、意図的に大きくなる様にした後、スレイブＯＮＵからＯＬＴを経由してマスタＯＮＵに到達する伝送に遅延を加える。または、（ｃ）スレイブＯＮＵの上りタイムスロットとＰＴＰパケット到着タイミングを一致させるようにしても良い。
【００７３】
（５’）また、上りと下り遅延を同じにするため、遅延の小さい伝送に対して、ＯＬＴで意図的に遅延を加えるようにしても良い。ただし、上記（１）の手法を利用する場合、マスタＯＮＵからＯＬＴを経由してスレイブＯＮＵに到達する伝送の遅延の方が小さい場合は、（ａ）スレイブＯＮＵからＯＬＴを経由してマスタＯＮＵに到達する伝送のスレイブＯＮＵ内での上り遅延をも考慮して遅延を加える。また、（ｂ）スレイブＯＮＵからＯＬＴを経由してマスタＯＮＵに到達する伝送の方の遅延を、意図的に大きくなる様にした後、スレイブＯＮＵからＯＬＴを経由してマスタＯＮＵに到達する伝送に遅延を加える。または、（ｃ）スレイブＯＮＵの上りタイムスロットとＰＴＰパケット到着タイミングを一致させるようにしても良い。
【００７４】
（５’’）各伝送区間において、上りと下りの遅延が同じになる様に、遅延の小さい伝送方向、すなわち、通常は下り（ＯＬＴ〜マスタまたはスレイブＯＮＵ方向）で伝送遅延分の遅延を意図的に加える。ただし、（１）の手法を利用する場合、マスタまたはスレイブＯＮＵからＯＬＴ方向の伝送のマスタまたはスレイブＯＮＵ内での上り遅延を考慮して、伝送遅延を加えても良い。この場合、遅延を、マスタまたはスレイブＯＮＵへのＰＴＰパケット到着時間、送信時間から算出する。または、マスタまたはスレイブＯＮＵ到着時間、ＯＬＴ到着時間の差にＲＴＴから得られるファイバ伝送時間を引いて算出しても良い。実施例３に係る対称化技術は、ＧＭをＯＬＴ側に設置した場合にも適用可能である。
【００７５】
図１３（ａ）は、通常のＴＤＭ−ＰＯＮのシーケンスを示す図であり、図１３（ｂ）は、実施例３に係るＴＤＭ−ＰＯＮのシーケンスを示す図である。マスタＯＮＵからＯＬＴへの上りの伝送遅延は、遅延を一定とし、かつ最小化方式を採ることにより、ＯＬＴからスレイブＯＮＵへの下りの遅延時間によらず、一定とすることが可能である。固定タイムスロットを割り当てる場合には、下り遅延に依存して、変化してしまう。このため、マスタＯＮＵで、上りＰＴＰパケットの到着時間に加えて送信時間もＯＬＴ側に通知することによって、マスタＯＮＵ内での遅延時間も考慮したＰＴＰ待ち時間を設定することが可能である。
【実施例４】
【００７６】
実施例４では、ＰＯＮ区間の上下遅延を、十分大きな値（PollingRateの２倍以上）のある値に固定する。図１４は、ＰＴＰ  ＧＭおよびＰＴＰスレイブ装置の設置パターンを示す図である。図１４（ａ）は、マスタＯＮＵにＧＭが接続されている例を示し、図１４（ｂ）は、ＯＬＴにＧＭが接続されている例を示す。ＯＬＴは、予めＲＴＴに基づいて、上りと下りの伝送遅延を測定する。測定した伝送遅延は、例えば、図４に示すようなテーブルで管理することができる。なお、図１４（ａ）および（ｂ）に示したように、マスタＯＮＵの配下にＰＴＰスレイブが接続される場合もあり、本発明を適用することによって、上下伝送遅延の対称化を図ることが可能である。
【００７７】
図１５（ａ）下り伝送におけるＯＬＴとマスタＯＮＵまたはスレイブＯＮＵのシーケンスチャートであり、（ｂ）は、上り伝送におけるＯＬＴとマスタＯＮＵまたはスレイブＯＮＵのシーケンスチャートである。図１５（ａ）に示すように、ＯＬＴに、下りのＰＴＰパケットが到着した場合、バッファに、（指定遅延値）−（下りの伝送遅延値）の時間留保してからマスタＯＮＵに送信する。
【００７８】
一方、図１５（ｂ）に示すように、上りＰＴＰパケットがマスタＯＮＵに到着した場合、マスタＯＮＵがＰＴＰパケットを受信してから上りデータの有無をＯＬＴ通知するまでの時間（ＰＴＰ上り留保時間）を、上りデータ有無の通知に含めて、ＯＬＴに通知する。ＯＬＴは、上りデータ有りの通知を受領すると、マスタＯＮＵの送信タイミング通知を、（指定遅延値）−（ＰＴＰ上り留保時間）−（上り伝送遅延）−（上りデータ有りの通知受領から送信タイミング通知送信までの時間）−（下り伝送遅延）−（上り伝送遅延）を算出し、送信タイミングとしてマスタＯＮＵに通知する。マスタＯＮＵは、受領した送信タイミングに合わせてＰＴＰパケットを送信する。
【００７９】
以上説明したように、実施例４によれば、マスタＯＮＵからＯＬＴと、ＯＬＴからマスタＯＮＵとの遅延を、ＯＬＴ内またはＯＮＵの送信タイミングを調整する。これにより、上下伝送遅延の対称化を図ることが可能となる。
【実施例５】
【００８０】
実施例５では、マスタおよびスレイブＯＮＵに対する固定タイムスロットの割り当て方法の変更およびＰＴＰパケットの遅延方法の変更について説明する。
【００８１】
（１）マスタＯＮＵからＯＬＴへの上り伝送において、ＰＴＰパケットを送信するために、常に固定タイムスロットを割り当てる。ここで、マスタＯＮＵへのＰＴＰパケットの間隔と固定タイムスロットの間隔を一致させることによって、常に伝送遅延を一定に保つことが可能となる。また、マスタ以外のスレイブＯＮＵからＯＬＴへの通信においても、上記と同様に、ＰＴＰパケット間隔と固定タイムスロット間隔を一致させることによって、伝送遅延を一定に保つ。
【００８２】
（２）ＧＰＳアンテナを設置したマスタＯＮＵやスレイブＯＮＵとＯＬＴ間の上下伝送遅延をＯＬＴで計測する（ＲＴＴ測定）。
【００８３】
（３）マスタＯＮＵ内でのＰＴＰパケットの遅延、すなわち、ＰＴＰパケットの到着と送信までの時間差と、スレイブＯＮＵでのＰＴＰパケットの遅延情報をＯＬＴ側に通知する。ＯＬＴから（マスタ）ＯＮＵ方向への遅延は、遅延差が十分小さいと想定する。
【００８４】
（４）上記（３）遅延値情報に基づいて、ＯＬＴで、マスタＯＮＵとスレイブＯＮＵの機器遅延が一致する様に、両者の固定タイムスロットのタイミングを調整する。ここで、遅延は、両遅延中間値とする。これにより、上下伝送遅延の対称化を図ることが可能となる。
【実施例６】
【００８５】
実施例６では、マスタおよびスレイブＯＮＵに対する固定タイムスロットの割り当て方法の変更およびＰＴＰパケットの遅延方法の変更について説明する。
【００８６】
（１）マスタＯＮＵからＯＬＴへの上り伝送において、ＰＴＰパケットを送信するために、常に固定タイムスロットを割り当てる。ここで、マスタＯＮＵへのＰＴＰパケットの間隔と固定タイムスロットの間隔を一致させることによって、常に伝送遅延を一定に保つことが可能となる。また、マスタ以外のスレイブＯＮＵからＯＬＴへの通信においても、上記と同様に、ＰＴＰパケット間隔と固定タイムスロット間隔を一致させることによって、伝送遅延を一定に保つ。
【００８７】
（２）ＧＰＳアンテナを設置したマスタＯＮＵやスレイブＯＮＵとＯＬＴ間の上下伝送遅延をＯＬＴで計測する（ＲＴＴ測定）。
【００８８】
（３）マスタＯＮＵ内でのＰＴＰパケットの遅延、すなわち、ＰＴＰパケットの到着と送信までの時間差と、スレイブＯＮＵでのＰＴＰパケットの遅延情報をＯＬＴ側に通知する。ＯＬＴから（マスタ）ＯＮＵ方向への遅延は、遅延差が十分小さいと想定する。
【００８９】
（４）マスタＯＮＵからＯＬＴへの伝送と、ＯＬＴからマスタＯＮＵへの伝送遅延を同じにするため、上記（３）の情報に基づいて、ＯＬＴからマスタＯＮＵ伝送で、ＯＬＴにマスタＯＮＵ内での遅延と同一の遅延を加える。また、ＯＬＴからスレイブＯＮＵへの伝送とスレイブＯＮＵからＯＬＴへの伝送遅延を同じとするため、上記（３）の情報に基づいて、ＯＬＴ内での遅延時間とスレイブＯＮＵ内での遅延時間が一致するように調整する。これにより、上下伝送遅延の対称化を図ることが可能となる。
【実施例７】
【００９０】
実施例７では、ＰＴＰパケットの遅延方法の変更について説明する。
【００９１】
（１）マスタＯＮＵからＯＬＴへの上り伝送において、ＰＴＰパケットの送信のために、常に固定タイムスロットを割り当てる。ここで、マスタＯＮＵへのＰＴＰパケットの間隔と固定タイムスロットの間隔を一致させることによって、常に伝送遅延を一定に保つことが可能となる。また、マスタ以外のスレイブＯＮＵからＯＬＴへの通信においても、上記と同様に、ＰＴＰパケット間隔と固定タイムスロット間隔を一致させることによって、伝送遅延を一定に保つ。
【００９２】
（２）マスタＯＮＵ内でのＰＴＰパケットの遅延、すなわち、ＰＴＰパケットの到着と送信までの時間差（遅延量）を機器内に保持しておく。マスタＯＮＵからＯＬＴを経由してスレイブＯＮＵに到達する伝送、および、スレイブＯＮＵからＯＬＴを経由してマスタＯＮＵに到達する伝送により戻ってきたＰＴＰパケットに対して、保持していた遅延量と同じ遅延を加えて、ＰＴＰスレイブ装置側に送信する。ここでは、スレイブＯＮＵはバッファを有し、下り方向の送信時にバッファを用いて遅延させる機能を有する。
【００９３】
（３）同様に、スレイブＯＮＵでも機器内での上位（ＯＬＴ）側への伝送と下位（ＰＴＰスレイブ装置）側への伝送時間が同一となる様に遅延を調整する。一度、スレイブＯＮＵからＯＬＴへの伝送におけるスレイブＯＮＵ内遅延、すなわち、ＰＴＰパケット到着と送信までの時間差を算出し、スレイブＯＮＵからＰＴＰスレイブ装置への伝送において、スレイブＯＮＵ内で遅延を加えて調整する。これにより、上下伝送遅延の対称化を図ることが可能となる。
【００９４】
以上説明したように、本実施形態によれば、ＯＬＴからいずれかのＯＮＵへパケットを送信するタイミングまたはいずれかのＯＮＵからＯＬＴへパケットを送信するタイミングを調整することによって、上下伝送遅延の対称化を図るので、ＩＥＥＥ１５８８ｖ２を用いてＴＤＭ−ＰＯＮを経由した時刻同期が可能となる。
【符号の説明】
【００９５】
１０  ＯＬＴ
３０  光スプリッタ（光分岐器）
４０−１  マスタＯＮＵ
４０−２〜４０−ｎ  スレイブＯＮＵ
５０  ＰＴＰマスタ装置
５１  ＧＰＳアンテナ
５２−１〜５２−（ｎ−１）  ＰＴＰスレイブ装置
６０−１〜６０−ｎ  基地局
【図１】
0006540958.tif 000002
【図２】
0006540958.tif 000003
【図３】
0006540958.tif 000004
【図４】
0006540958.tif 000005
【図５】
0006540958.tif 000006
【図６】
0006540958.tif 000007
【図７】
0006540958.tif 000008
【図８】
0006540958.tif 000009
【図９】
0006540958.tif 000010
【図１０】
0006540958.tif 000011
【図１１】
0006540958.tif 000012
【図１２】
0006540958.tif 000013
【図１３】
0006540958.tif 000014
【図１４】
0006540958.tif 000015
【図１５】
0006540958.tif 000016